(57)【要約】【課題】  簡単な構造で、フレームどうしを連結することができる、フレームの連結具を提供する。【解決手段】  連結具３は、第１および第２フレーム１、２の溝１ａ、２ａの幅方向において対向位置する一対の連結具本体３ａ、３ｂを備える。各連結具本体３ａ、３ｂは、本体部４と、その本体部４から延設されて溝１ａに挿入される第１挿入部５と、本体部４から延設されて溝２ａに挿入される第２挿入部６とを備える。そして、一方の連結具本体３ａの本体部４には、操作体７が取り付けられる。そこで、操作体７は、その操作体７の回動操作により、他方の連結具本体３ｂの本体部４を押圧して、第１挿入部５、５どうしを互いに離間させるとともに、第２挿入部６、６どうしを互いに離間させる。【選択図】  図９
2007303572.tif 000002
【特許請求の範囲】
【請求項１】
長手方向に沿う溝を備えるとともに、その溝の開口側に溝幅を狭めるように突出する突条部を有する、第１フレームと第２フレームとを、それらの溝が互いの側に臨む向きで連結する連結具であって、
前記溝の幅方向において対向位置する一対の連結具本体を備え、
前記各連結具本体は、本体部と、その本体部から延設されて前記第１フレームの溝に挿入される第１挿入部と、その本体部から延設されて前記第２フレームの溝に挿入される第２挿入部とを備え、また、
前記第１挿入部と前記第２挿入部とは、前記突条部の裏面と対向する側に張り出す張出部を有し、かつ、前記第１挿入部は、互いに近接することで、前記第１フレームの溝にその溝が開口する前面側から挿入可能となるとともに、前記第２挿入部は、互いに近接することで、前記第２フレームの溝にその溝が開口する前面側から挿入可能となっており、
一方の前記連結具本体の本体部には、操作体が取り付けられ、
前記操作体は、その操作体の操作により、前記第１挿入部どうしを互いに離間させるとともに、前記第２挿入部どうしを互いに離間させるよう、他方の前記連結具本体の本体部を押圧することを特徴とする、フレームの連結具。
【請求項２】
前記本体部間には、前記連結具本体を、前記第１挿入部どうしおよび前記第２挿入部どうしが離間したり近接したりする方向に案内する案内手段と、前記第１挿入部どうしおよび第２挿入部どうしが所定以上に離間しないように制限する制限手段とが設けられていることを特徴とする請求項１に記載の、フレームの連結具。
【請求項３】
前記本体部間には、前記連結具本体を、前記第１挿入部どうしおよび前記第２挿入部どうしが離間するように弾性的に付勢する、付勢手段が設けられていることを特徴とする請求項２に記載の、フレームの連結具。
【請求項４】
前記付勢手段は、前記本体部間に配備されるコイルスプリングからなり、そのコイルスプリングと同軸上に、前記本体部に被固定物を取付け固定するためのネジがねじ込まれる雌ねじが設けられ、
前記コイルスプリングは、前記ネジの軸部が挿通可能に形成されていることを特徴とする請求項３に記載の、フレームの連結具。
【請求項５】
前記操作体は、ねじ部材からなり、前記一方の連結具本体の本体部に螺合して取り付けられ、その操作体の回動操作により、前記他方の連結具本体の本体部を押圧して、前記第１挿入部どうしを互いに離間させるとともに、前記第２挿入部どうしを互いに離間させることを特徴とする請求項１ないし４のいずれか１項に記載の、フレームの連結具。
【請求項６】
前記本体部は、前記第１フレームの溝が開口する前面に当接する第１当接部と、前記第２フレームの溝が開口する前面に当接する第２当接部を有し、また、
前記第１挿入部は、その張出部の基端側に、前記第１フレームの溝の突条部における奥側コーナーに当接する傾斜面を有し、前記第２挿入部は、その張出部の基端側に、前記第２フレームの溝の突条部における奥側コーナーに当接する傾斜面を有することを特徴とする請求項１ないし５のいずれか１項に記載の、フレームの連結具。
【請求項７】
前記第１挿入部は、その張出部の先端側に、前記第１フレームの溝への挿入始めに、その溝の突条部における表側のコーナーに当接可能な、傾斜面を有し、前記第２挿入部は、その張出部の先端側に、前記第２フレームの溝への挿入始めに、その溝の突条部における表側のコーナーに当接可能な、傾斜面を有することを特徴とする、請求項１ないし６のいずれか１項に記載の、フレームの連結具。
【請求項８】
被取付物を取り付けるための取付溝を備え、その取付溝は、前記第１挿入部および前記第２挿入部が設けられない側の、前記本体部間の隙間によって形成されることを特徴とする請求項１ないし７のいずれか１項に記載の、フレームの連結具。
【請求項９】
前記取付溝は、その開口側に溝幅を狭めるように相対向して突出する突条片を有し、それら突条片の裏側に渡って、ナット部材が収容可能となることを特徴とする請求項８に記載の、フレームの連結具。
【発明の詳細な説明】
【技術分野】
【０００１】
この発明は、溝を備えるフレームどうしを連結する、フレームの連結具に関するものである。
【背景技術】
【０００２】
従来、フレームどうしを連結する連結具として、図１６に示されるものがあった（例えば、特許文献１参照）。この連結具４１は、断面コの字状のベース部材４２と、そのベース部材４２に収容される一対の係合部材４３、４３とを備えていた。そして、係合部材４３は、それぞれのフレーム４０の溝４０ａに挿入される挿入部４３ａを有しており、その挿入部４３ａには、溝４０ａに設けられた突条部４０ｂの裏面と対向する係合突部４３ｂが設けられていた。また、操作体としてのボルト４５が、ベース部材４２の孔４２ａを通り、係合部材４３、４３に掛けられたナット４４に螺合していた。そこで、ボルト４５を回すと、ベース部材４２に対して係合部材４３、４３が引き込まれ、その係合部材４３、４３の係合突部４３ｂ、４３ｂとベース部材４２とで、フレーム４０における溝４０ａの突条部４０ｂ、４０ｂが挟持された。こうして、連結具４１が、両フレーム４０、４０に固定され、その結果、フレーム４０、４０どうしが連結された。
【０００３】
【特許文献１】特開２００５−２９１３６２
【発明の開示】
【発明が解決しようとする課題】
【０００４】
ところで、前記従来の連結具４１にあっては、係合部材４３、４３を収容するとともに操作体としてのボルト４５を支持する、ベース部材４２を必要とし、構造が複雑となっていた。
【０００５】
この発明は、上記した従来の欠点を解決するためになされたものであり、その目的とするところは、簡単な構造で、フレームどうしを連結することができる、フレームの連結具を提供することにある。
【課題を解決するための手段】
【０００６】
この発明に係るフレームの連結具は、前記目的を達成するために、次の構成からなる。すなわち、
請求項１に記載の発明に係るフレームの連結具は、長手方向に沿う溝を備えるとともに、その溝の開口側に溝幅を狭めるように突出する突条部を有する、第１フレームと第２フレームとを、それらの溝が互いの側に臨む向きで連結する連結具である。この連結具は、前記溝の幅方向において対向位置する一対の連結具本体を備える。そして、前記各連結具本体は、本体部と、その本体部から延設されて前記第１フレームの溝に挿入される第１挿入部と、その本体部から延設されて前記第２フレームの溝に挿入される第２挿入部とを備える。また、前記第１挿入部と前記第２挿入部とは、前記突条部の裏面と対向する側に張り出す張出部を有し、かつ、前記第１挿入部は、互いに近接することで、前記第１フレームの溝にその溝が開口する前面側から挿入可能となるとともに、前記第２挿入部は、互いに近接することで、前記第２フレームの溝にその溝が開口する前面側から挿入可能となっている。そして、一方の前記連結具本体の本体部には、操作体が取り付けられる。そこで、前記操作体は、その操作体の操作により、前記第１挿入部どうしを互いに離間させるとともに、前記第２挿入部どうしを互いに離間させるよう、他方の前記連結具本体の本体部を押圧する。
【０００７】
この連結具によると、第１フレームと第２フレームとを連結するにあたって、一対の連結具本体の、第１挿入部を互いに近接させて第１フレームの溝にその前面側から挿入するとともに、第２挿入部を互いに近接させて第２フレームの溝にその前面側から挿入する。そして、一方の連結具本体の本体部に取り付けられた操作体を操作して、その操作体で、他方の連結具本体の本体部を押圧することで、第１挿入部どうしが互いに離間してそれら第１挿入部が第１フレームの溝をその拡開方向に押圧し、かつ、第２挿入部どうしが互いに離間してそれら第２挿入部が第２フレームの溝をその拡開方向に押圧する。このように、第１挿入部が第１フレームの溝をその拡開方向に押圧することで、第１挿入部、ひいてはこの連結具は、第１フレームに固定される。同様に、第２挿入部が第２フレームの溝をその拡開方向に押圧することで、第２挿入部、ひいてはこの連結具は、第２フレームに固定される。そして、このように、連結具が第１フレームと第２フレームとに固定されることで、これら第１フレームと第２フレームとは連結される。つまり、この連結具は、第１フレームと第２フレームとを連結するにあたって操作される操作体が、一方の連結具本体の本体部に取り付けられ、その操作体の操作により、操作体が他方の連結具本体の本体部を押圧する。このため、連結具は、操作体を支持するベース部材を必要とせず、簡単な構造で、フレームどうしを連結することができる。
【０００８】
また、請求項２に記載の発明に係るフレームの連結具は、請求項１に記載の連結具において、前記本体部間には、前記連結具本体を、前記第１挿入部どうしおよび前記第２挿入部どうしが離間したり近接したりする方向に案内する案内手段と、前記第１挿入部どうしおよび第２挿入部どうしが所定以上に離間しないように制限する制限手段とが設けられている。
【０００９】
また、請求項３に記載の発明に係るフレームの連結具は、請求項２に記載の連結具において、前記本体部間には、前記連結具本体を、前記第１挿入部どうしおよび前記第２挿入部どうしが離間するように弾性的に付勢する、付勢手段が設けられる。これにより、第１挿入部を第１フレームの溝に挿入し、第２挿入部を第２フレームの溝に挿入すると、付勢手段によって、第１挿入部どうしが離間して溝を拡開方向に弾性的に押圧するとともに、第２挿入部どうしが離間して溝を拡開方向に弾性的に押圧する。こうして、連結具は、第１フレームと第２フレームとに仮固定される。したがって、その後の操作体による本固定を、手際よく行なうことができる。
【００１０】
また、請求項４に記載の発明に係るフレームの連結具は、請求項３に記載の連結具において、前記付勢手段は、前記本体部間に配備されるコイルスプリングからなり、そのコイルスプリングと同軸上に、前記本体部に被固定物を取付け固定するためのネジがねじ込まれる雌ねじが設けられる。そして、前記コイルスプリングは、前記ネジの軸部が挿通可能に形成されている。こうして、付勢手段としてのコイルスプリングの内側スペースが、被固定物を取付け固定するためのネジに利用されるので、連結具をそれほど大きくすることなく、被固定物を本体部に取付け固定することができる。
【００１１】
また、請求項５に記載の発明に係るフレームの連結具は、請求項１ないし４のいずれか１項に記載の連結具において、前記操作体は、ねじ部材からなり、前記一方の連結具本体の本体部に螺合して取り付けられ、その操作体の回動操作により、前記他方の連結具本体の本体部を押圧して、前記第１挿入部どうしを互いに離間させるとともに、前記第２挿入部どうしを互いに離間させる。
【００１２】
また、請求項６に記載の発明に係るフレームの連結具は、請求項１ないし５のいずれか１項に記載の連結具において、前記本体部は、前記第１フレームの溝が開口する前面に当接する第１当接部と、前記第２フレームの溝が開口する前面に当接する第２当接部を有する。そして、前記第１挿入部は、その張出部の基端側に、前記第１フレームの溝の突条部における奥側コーナーに当接する傾斜面を有し、前記第２挿入部は、その張出部の基端側に、前記第２フレームの溝の突条部における奥側コーナーに当接する傾斜面を有する。この張出部の基端側の傾斜面により、挿入部どうしを離間させると、連結具本体は、溝側に引き込まれ、本体部の第１および第２当接部は、第１および第２フレームの前面を押圧し、この連結具は、第１および第２フレームに強固に固定される。
【００１３】
また、請求項７に記載の発明に係るフレームの連結具は、請求項１ないし６のいずれか１項に記載の連結具において、前記第１挿入部は、その張出部の先端側に、前記第１フレームの溝への挿入始めに、その溝の突条部における表側のコーナーに当接可能な、傾斜面を有し、前記第２挿入部は、その張出部の先端側に、前記第２フレームの溝への挿入始めに、その溝の突条部における表側のコーナーに当接可能な、傾斜面を有する。こうして、挿入部における張出部の先端側に、傾斜面を設けることで、挿入部をフレームの溝に容易に挿入することができる。
【００１４】
また、請求項８に記載の発明に係るフレームの連結具は、請求項１ないし７のいずれか１項に記載の連結具において、被取付物を取り付けるための取付溝を備える。この取付溝は、前記第１挿入部および前記第２挿入部が設けられない側の、前記本体部間の隙間によって形成される。
【００１５】
また、請求項９に記載の発明に係るフレームの連結具は、請求項８に記載の連結具において、前記取付溝は、その開口側に溝幅を狭めるように相対向して突出する突条片を有し、それら突条片の裏側に渡って、ナット部材が収容可能となるものである。こうして、取付溝にナット部材を収容することで、被取付物を、ナット部材とそのナット部材にねじ込まれるネジを介して、連結具に取付け固定することができる。
【発明の効果】
【００１６】
この発明に係るフレームの連結具によれば、操作体が、一方の連結具本体の本体部に取り付けられ、その操作体の操作により、操作体が他方の連結具本体の本体部を押圧するため、操作体を支持するベース部材を必要とせず、簡単な構造で、フレームどうしを連結することができる。
【発明を実施するための最良の形態】
【００１７】
以下、この発明に係るフレームの連結具を実施するための最良の形態を図面に基づいて説明する。
【００１８】
図１〜図１４は、本発明の一実施の形態を示す。図中符号１は、第１フレームであって、長手方向に沿う溝１ａを備えるとともに、その溝１ａの開口側に溝幅を狭めるように相対向して突出する突条部１ｂ、１ｂを有する。２は、第２フレームであって、同様に、長手方向に沿う溝２ａを備えるとともに、その溝２ａの開口側に溝幅を狭めるように相対向して突出する突条部２ｂ、２ｂを有する。３は、前記第１フレーム１と第２フレーム２とを、それらの溝１ａ、２ａが互いの側に臨む向きで連結する連結具である。
【００１９】
ここで、連結具３は、フレーム１、２の溝１ａ、２ａの幅方向において対向位置する一対の連結具本体３ａ、３ｂを備える。各連結具本体３ａ、３ｂは、本体部４と、その本体部４から延設されて第１フレーム１の溝１ａに挿入される第１挿入部５と、その本体部４から延設されて第２フレーム２の溝２ａに挿入される第２挿入部６とを備える。そこで、これら連結具本体３ａ、３ｂにあっては、本体部４、４どうし、第１挿入部５、５どうし、および、第２挿入部６、６どうしは、フレーム１、２の溝１ａ、２ａの幅方向において対向位置している。また、第１挿入部５と第２挿入部６とは、フレーム１、２の溝１ａ、２ａにおける突条部１ｂ、２ｂの裏面と対向する側に張り出す張出部５ａ、６ａを有している。そして、第１挿入部５、５は、互いに近接することで、第１フレーム１の溝１ａにその溝１ａが開口する前面１ｃ側から挿入可能となる。同様に、第２挿入部６、６は、互いに近接することで、第２フレーム２の溝２ａにその溝２ａが開口する前面２ｃ側から挿入可能となる。
【００２０】
そして、一方の連結具本体３ａの本体部４には、操作体７が取り付けられる。操作体７は、その操作体７の操作により、第１挿入部５、５どうしを互いに離間させるとともに、第２挿入部６、６どうしを互いに離間させるよう、他方の連結具本体３ｂの本体部４を押圧する。図示実施の形態においては、操作体７が、他方の連結具本体３ｂの本体部４を押圧することで、本体部４、４どうしが互いに離間し、それに伴って、第１挿入部５、５どうし、そして、第２挿入部６、６どうしが、互いに離間する。
【００２１】
また、連結具本体３ａ、３ｂにおける本体部４、４間には、連結具本体３ａ、３ｂを、第１挿入部５、５どうしおよび第２挿入部６、６どうしが離間したり近接したりする方向（すなわち、前記溝１ａ、２ａの幅方向）に案内する案内手段８と、第１挿入部５、５どうしおよび第２挿入部６、６どうしが所定以上に離間しないように制限する制限手段９とが設けられている。さらに、本体部４、４間には、連結具本体３ａ、３ｂを、第１挿入部５、５どうしおよび第２挿入部６、６どうしが離間するように弾性的に付勢する、付勢手段１０が設けられている。
【００２２】
具体的には、第１フレーム１は、断面略正方形形状であって、その各側面に前記溝１ａが形成された、例えばアルミニウム製あるいはアルミニウム合金製の型材からなる。そして、溝１ａは、その開口側の両側面に、前記突条部１ｂ、１ｂが設けられて、断面略Ｔ溝形状となっている。第２フレーム２は、第１フレーム１と同一の型材からなり、同様にして、断面略正方形形状の各側面に、突条部２ｂ、２ｂを有する断面略Ｔ溝形状の溝２ａが形成されている。
【００２３】
連結具３は、第１フレーム１と第２フレーム２とを、特に、直角位置するようにして連結するものであり、この連結具３によって、第１フレーム１と第２フレーム２とは、Ｌ字状とかＴ字状に組み付けられる。この連結具３においては、連結具本体３ａ、３ｂは、例えばアルミニウム製あるいはアルミニウム合金製であって、その本体部４は、略三角形、特に略直角三角形の平板形状をしている。そして、第１挿入部５と第２挿入部６とは、本体部４における略直角三角形の直角を挟む短辺に、その短辺に沿うようにして設けられている。
【００２４】
そして、これら連結具本体３ａ、３ｂにおける本体部４、４の中央部分に、前記付勢手段１０が設けられている。この付勢手段１０は、連結具本体３ａ、３ｂの本体部４、４間に配備されるコイルスプリング１０ａからなる。そして、このコイルスプリング１０ａと同軸上に、雌ねじとしてのナット１１が設けられており、このナット１１には、本体部４に被固定物２１を取付け固定するためのネジ２２がねじ込まれる。そして、コイルスプリング１０ａは、ネジ２２の軸部が挿通可能に形成されている。図示実施の形態においては、一方の連結具本体３ａの本体部４には、その中央部分に、段付きの通孔４ａが明けられている。この通孔４ａは、外側が径小部４ｂ、内側が径大部４ｃとなって、その径大部４ｃに、前記ナット１１が収容される。そして、他方の連結具本体３ｂの本体部４には、その中央部分の内面に、前記通孔４ａと対向するようにして、凹部４ｄが形成されている。そこで、前記コイルスプリング１０ａは、一端が、この凹部４ｄに収容され、他端が、ナット１１を押圧する。こうして、このコイルスプリング１０ａにより、第１挿入部５、５および第２挿入部６、６を含めて、連結具本体３ａ、３ｂどうしが、離間するように弾性的に付勢される。
【００２５】
また、これら連結具本体３ａ、３ｂにおける本体部４、４の、付勢手段１０を挟む両側には、前記案内手段８および制限手段９が設けられている。これら案内手段８および制限手段９は、一方の連結具本体３ａの本体部４に明けられた段付きの通孔４ｅと、他方の連結具本体３ｂの本体部４の内面から突出して、通孔４ｅに挿入される突出部４ｆと、その突出部４ｆにねじ込まれる雄ねじ部材１２とからなる。ここで、通孔４ｅは、内側が径小部４ｇ、外側が径大部４ｈとなっている。そして、径小部４ｇを突出部４ｆが貫通し、径大部４ｈに雄ねじ部材１２の頭部１２ａが、径小部４ｇから径大部４ｈに移る段部４ｉと向かい合うようにして収容される。こうして、通孔４ｅの径小部４ｇが突出部４ｆに案内されたり、雄ねじ部材１２の頭部１２ａが径大部４ｈに案内されたりして、第１挿入部５、５および第２挿入部６、６を含めて、連結具本体３ａ、３ｂどうしは離間したり近接したりする。そして、雄ねじ部材１２の頭部１２ａに、通孔４ｅの段部４ｉが突き当たることで、第１挿入部５、５および第２挿入部６、６を含めて、連結具本体３ａ、３ｂどうしは、所定以上に離間しないように制限される。
【００２６】
また、前記操作体７は、ねじ部材からなり、一方の連結具本体３ａの本体部４に螺合して取り付けられ、その操作体７の回動操作により、他方の連結具本体３ｂの本体部４を押圧して、第１挿入部５、５どうしを互いに離間させるとともに、第２挿入部６、６どうしを互いに離間させる。詳細には、操作体７は、六角孔付きの止めねじからなる。そして、一方の連結具本体３ａにおける本体部４には、通孔４ａと並んで、ねじ孔４ｊが明けられており、このねじ孔４ｊに、操作体７が螺合する。そして、操作体７を、そのねじ込み方向に回動操作することで、他方の連結具本体３ｂにおける本体部４の内面を押圧して、第１挿入部５、５および第２挿入部６、６を含めて、連結具本体３ａ、３ｂどうしが互いに離間する。
【００２７】
また、本体部４は、第１フレーム１の溝１ａが開口する前面１ｃに当接する第１当接部４ｋと、第２フレーム２の溝２ａが開口する前面２ｃに当接する第２当接部４ｍを有している。ここで、第１当接部４ｋは、第１挿入部５が突出する面、すなわち、本体部４の短辺を形成する面からなる。同様にして、第２当接部４ｍは、第２挿入部６が突出する面、すなわち、本体部４のもう一方の短辺を形成する面からなる。また、第１挿入部５は、その張出部５ａの基端側に、第１フレーム１の溝１ａの突条部１ｂにおける奥側コーナーに当接する傾斜面５ｂと、その張出部５ａの先端側に、第１フレーム１の溝１ａへの挿入始めに、その溝１ａの突条部１ｂにおける表側のコーナーに当接可能な、傾斜面５ｃとを有する。同様にして、第２挿入部６は、その張出部６ａの基端側に、第２フレーム２の溝２ａの突条部２ｂにおける奥側コーナーに当接する傾斜面６ｂと、その張出部６ａの先端側に、第２フレーム２の溝２ａへの挿入始めに、その溝２ａの突条部２ｂにおける表側のコーナーに当接可能な、傾斜面６ｃとを有する。
【００２８】
さらに、連結具３は、被取付物２３を取り付けるための取付溝１３を備えている。この取付溝１３は、第１挿入部５および第２挿入部６が設けられていない側の、本体部４、４間の隙間によって形成される。そして、取付溝１３は、その開口側に溝幅を狭めるように相対向して突出する突条片１３ａ、１３ａを有し、それら突条片１３ａ、１３ａの裏側に渡って、ナット部材２４が収容可能となる。詳細には、この取付溝１３は、本体部４、４の長辺側に形成される。そして、一側の本体部４には、取付溝１３の底面を形成する突片１３ｂが突出して形成されており、他側の本体部４には、前記突片１３ｂを逃すための凹溝１３ｃが形成されている。こうして、取付溝１３は、フレーム１、２の溝１ａ、２ａと同様に、断面略Ｔ溝形状となっている。また、このように、取付溝１３は、突片１３ｂによって底面が形成されるため、取付溝１３を通って内部にゴミ等が侵入したり、内部が見えたりするのを防ぐことができる。
【００２９】
次に、以上の構成からなる連結具３の作用効果について説明する。この連結具３によると、第１フレーム１と第２フレーム２とを連結するにあたって、図４に示すように、一対の連結具本体３ａ、３ｂを互いに近接させることで、第１挿入部５、５どうしを互いに近接させるとともに、第２挿入部６、６どうしを互いに近接させる。そこで、図７および図８に示すように、第１挿入部５、５を第１フレーム１の溝１ａにその前面１ｃ側から挿入するとともに、第２挿入部６、６を第２フレーム２の溝２ａにその前面２ｃ側から挿入する。すると、コイルスプリング１０ａ（付勢手段１０）によって、第１挿入部５、５どうしが離間して第１フレーム１の溝１ａを拡開方向に弾性的に押圧すするとともに、第２挿入部６、６どうしが離間して第２フレーム２の溝２ａを拡開方向に弾性的に押圧する。こうして、連結具３は、第１フレーム１と第２フレーム２とに仮固定される。
【００３０】
その後、図９に示すように、一方の連結具本体３ａの本体部４に取り付けられた操作体７を操作（回動操作）して、その操作体７で、他方の連結具本体３ａの本体部４を押圧する。これにより、第１挿入部５、５どうしが互いに離間してそれら第１挿入部５、５が第１フレーム１の溝１ａをその拡開方向に押圧し、かつ、第２挿入部６、６どうしが互いに離間してそれら第２挿入部６、６が第２フレーム２の溝２ａをその拡開方向に押圧する。このように、第１挿入部５、５が第１フレーム１の溝１ａをその拡開方向に押圧することで、第１挿入部５、５、ひいてはこの連結具３は、第１フレーム１に固定（本固定）される。同様に、第２挿入部６、６が第２フレーム２の溝２ａをその拡開方向に押圧することで、第２挿入部６、６、ひいてはこの連結具３は、第２フレーム２に固定（本固定）される。そして、このように、連結具３が第１フレーム１と第２フレーム２とに固定されることで、これら第１フレーム１と第２フレーム２とが連結される。つまり、この連結具３は、第１フレーム１と第２フレーム２とを連結するにあたって操作される操作体７が、一方の連結具本体３ａの本体部４に取り付けられ、その操作体７の操作により、操作体７が他方の連結具本体３ｂの本体部４を押圧する。このため、連結具３は、操作体７を支持するベース部材を必要とせず、簡単な構造で、フレーム１、２どうしを連結することができる。
【００３１】
また、第１および第２挿入部５、６における張出部５ａ、６ａの先端側に、傾斜面５ｃ、６ｃが設けられており、この傾斜面５ｃ、６ｃにより、挿入部５、６をフレーム１、２の溝１ａ、２ａに容易に挿入することができる。その上、第１挿入部５、５を第１フレーム１の溝１ａに挿入し、第２挿入部６、６を第２フレーム２の溝２ａに挿入したとき、付勢手段１０（コイルスプリング１０ａ）によって、連結具３は、第１フレーム１と第２フレーム２とに仮固定される。したがって、その後の操作体７による本固定、つまりはフレーム１、２どうしの連結を、手際よく行なうことができる。
【００３２】
また、操作体７を操作して、挿入部５、５、６、６どうしを離間させると、挿入部５、６に設けられた張出部５ａ、６ａの基端側の傾斜面５ｂ、６ｂにより、連結具本体３ａ、３ｂは、溝１ａ、２ａ側に引き込まれ、本体部４の第１および第２当接部４ｋ、４ｍは、第１および第２フレーム１、２の前面１ｃ、２ｃを押圧する。こうして、この連結具３は、第１および第２フレーム１、２に強固に固定され、この連結具３により、第１フレーム１と第２フレーム２とを強く連結することができる。
【００３３】
また、付勢手段１０としてのコイルスプリング１０ａは、本体部４に被固定物２１を取付け固定するためのネジ２２の軸部が挿通可能に形成されている。こうして、コイルスプリング１０ａの内側スペースが、被固定物２１を取付け固定するためのネジ２２に利用されるので、連結具３をそれほど大きくすることなく、被固定物２１を本体部４に取付け固定することができる。図１０において、（ａ）は、被固定物２１としてのパネル２１ａを本体部４に固定する前の状態を示す斜視図、（ｂ）は、固定した後の状態を示す斜視図である。そして、このように、パネル２１ａを本体部４に取付け固定することで、パネル２１ａを、本体部４、すなわち連結具３を介してフレーム１、２に固定することができる。
【００３４】
また、連結具３は、取付溝１３を備えており、この取付溝１３にナット部材２４を収容することで、被取付物２３を、ナット部材２４とそのナット部材２４にねじ込まれるネジ２５を介して、連結具３に取付け固定することができる。図１１〜図１３は、取付溝１３を利用して、連結具３に被取付物２３としての他のフレーム２６を取り付ける例を示している。ここで、他のフレーム２６は、フレーム１、２とは、サイズは異なるが類似の形状であって、溝１ａ、２ａと同様に、断面略Ｔ溝形状となる溝２６ａを有している。図中符号２７は、Ｌ字状に形成されたブラケットである。このブラケット２７は、一方の片２７ａに、孔２７ｂを有し、また、他方の片２７ｃにも、孔２７ｄを有している。ここで、他のフレーム２６を、その長手方向が、連結具３の取付溝１３の延びる方向と直角となるように配置し、ブラケット２７を、連結具３と他のフレーム２６との交差するコーナー部に配置する。そして、ネジ２５をブラケット２７の孔２７ｂに通し、連結具３の取付溝１３に収容されたナット部材２４にねじ込むとともに、他のネジ２８をブラケット２７のもう一方の孔２７ｄに通し、他のフレーム２６の溝２６ａに収容されたナット部材２９にねじ込む。こうして、他のフレーム２６は、ブラケット２７、ナット部材２４、２９およびネジ２５、２８を介して、連結具３に取付け固定され、ひいては、他のフレーム２６は、フレーム１、２に固定される。また、図１４は、連結具３に被取付物２３としてのパネル３０を取り付ける例（取付溝１３にはナット部材２４を収容しない。）を示しており、（ａ）は、パネル３０を連結具３に取り付ける前の状態を示す斜視図、（ｂ）は、取り付けた後の状態を示す斜視図である。詳細には、パネル３０は、連結具３の取付溝１３に嵌め込まれるとともに、フレーム１、２の溝１ａ、２ａに嵌め込まれるようにして取り付けられる。
【００３５】
なお、本発明は、上述した実施の形態に限定されるわけではなく、その他種々の変更が可能である。例えば、第１フレーム１と第２フレーム２とは、図示実施の形態に示すような断面形状に限定されないことは当然であり、また、両者は、同一の型材からならなくとも、別の型材、すなわち、断面形状が異なる型材からなっていてもよい。さらには、第１フレーム１と第２フレーム２とは、型材でなくともよい。
【００３６】
また、案内手段８および制限手段９において、一方の連結具本体３ａに通孔４ｅが設けられ、他方の連結具本体３ｂに、前記通孔４ｅに挿入される突出部４ｆが設けられているが、反対に、一方の連結具本体３ａに突出部４ｆを設け、他方の連結具本体３ｂに通孔４ｅを設けてもよい。また、二組ある通孔４ｅ、４ｅと突出部４ｆ、４ｆにおいて、一組目は、通孔４ｅを一方の連結具本体３ａに、突出部４ｆを他方の連結具本体３ｂに設け、二組目は、反対に、突出部４ｆを一方の連結具本体３ａに、通孔４ｅを他方の連結具本体３ｂに設けるようにしても構わない。また、これらにおいて、突出部４ｆに替えて、本体部４とは別体のカラーを設けてもよい。そして、この場合には、雄ねじ部材１２は、このカラーを通って、本体部４、あるいは本体部４とは別に設けたナットにねじ込まれる。さらに、これらの実施の態様では、雄ねじ部材１２を用いているが、この雄ねじ部材１２に替えて、リベットを用いても構わない。
【００３７】
また、取付溝１３は、突条片１３ａを有しているが、ナット部材２４を挿入する必要がなければ、図１５に示すように、突条片１３ａを有しない溝（スリット溝）であってもよい。
【００３８】
また、付勢手段１０は、コイルスプリング１０ａでなくとも、金属や合成樹脂等からなる板バネとか、スポンジやゴム等からなるクッション材からなっていても構わない。
【００３９】
また、本体部４に被固定物２１を取付け固定するための雌ねじは、ナット１１からならなくとも、本体部４に螺設されてもよい。
【００４０】
また、取付溝１３部分には、図２とか図１５に示すように、一方の連結具本体３ａに凹溝１３ｃが設けられ、他方の連結具本体３ｂに突片１３ｂが設けられているが、反対に、一方の連結具本体３ａに突片１３ｂを設け、他方の連結具本体３ｂに凹溝１３ｃを設けてもよい。また、これら突片１３ｂと凹溝１３ｃは、特に必要なければ、無くても構わない。
【図面の簡単な説明】
【００４１】
【図１】この発明の一実施の形態の、連結具の正面図である。
【図２】同じく、図１におけるＡ−Ａ線による断面図である。
【図３】同じく、図１におけるＢ−Ｂ線による断面図である。
【図４】同じく、連結具本体どうしを近接させた状態を示す、図３相当図である。
【図５】同じく、連結具の斜視図である。
【図６】同じく、連結具の分解斜視図である。
【図７】同じく、連結具をフレームに組み付けた状態を示す正面図である。
【図８】同じく、図７におけるＣ−Ｃ線による断面図であって、操作体をねじ込む前の仮固定状態を示す。
【図９】同じく、図７におけるＣ−Ｃ線による断面図であって、操作体をねじ込んだ後の本固定状態を示す。
【図１０】同じく、パネルを連結具の本体部に取付け固定する過程を示す斜視図である。
【図１１】同じく、他のフレームを連結具に取付け固定した状態を示す正面図である。
【図１２】同じく、図１１におけるＤ−Ｄ線による断面図である。
【図１３】同じく、図１１におけるＥ矢視図である。
【図１４】同じく、パネルを連結具に取り付ける過程を示す斜視図である。
【図１５】この発明の他の実施の形態の、図２相当図である。
【図１６】従来の連結具を示す断面図である。
【符号の説明】
【００４２】
１  第１フレーム
１ａ  溝
１ｂ  突条部
１ｃ  前面
２  第２フレーム
２ａ  溝
２ｂ  突条部
２ｃ  前面
３  連結具
３ａ  一方の連結具本体（連結具本体）
３ｂ  他方の連結具本体（連結具本体）
４  本体部
４ｋ  第１当接部
４ｍ  第２当接部
５  第１挿入部
５ａ  張出部
５ｂ  傾斜面
５ｃ  傾斜面
６  第２挿入部
６ａ  張出部
６ｂ  傾斜面
６ｃ  傾斜面
７  操作体
８  案内手段
９  制限手段
１０  付勢手段
１０ａ  コイルスプリング（付勢手段）
１１  ナット（雌ねじ）
１３  取付溝
１３ａ  突条片
２１  被固定物
２１ａ  パネル（被固定物）
２２  ネジ
２３  被取付物
２４  ナット部材
２６  他のフレーム（被取付物）
３０  パネル（被取付物）
【図１】
2007303572.tif 000003
【図２】
2007303572.tif 000004
【図３】
2007303572.tif 000005
【図４】
2007303572.tif 000006
【図５】
2007303572.tif 000007
【図６】
2007303572.tif 000008
【図７】
2007303572.tif 000009
【図８】
2007303572.tif 000010
【図９】
2007303572.tif 000011
【図１０】
2007303572.tif 000012
【図１１】
2007303572.tif 000013
【図１２】
2007303572.tif 000014
【図１３】
2007303572.tif 000015
【図１４】
2007303572.tif 000016
【図１５】
2007303572.tif 000017
【図１６】
2007303572.tif 000018